(57)【特許請求の範囲】
【請求項１】
容器内の水を電気分解して酸性またはアルカリ性の電解水をバッチ式に生成する可搬可能な電解水生成装置であって、
容器内部を隔膜が固定された隔膜固定板により仕切って大小二つの槽を形成し、前記各槽内に電極をそれぞれ配置してなり、前記二つの槽の底側で当該二つの槽を連通する小さな連通孔を設けてなる電解槽と、
装着部に装着しあるいは前記装着部から取り出し可能な排水タンクと、
前記電解槽の小さい槽に生成された電解水を前記排水タンクに排水可能な第１の排水系統と、
前記電解槽の大きい槽に生成された電解水を外部に取水できる第２の排水系統と、
直流電源からの電力を取り込み前記両電極へ流す電流量を調整でき、かつ、電解が終了したときに第１の排水系統を運転し前記小さな槽の電解水を前記排水タンクに排水させる制御をする制御部と
を備えたことを特徴とする可搬型電解水生成装置。
【請求項２】
請求項１記載の可搬型電解水生成装置において、
前記制御部は、前記両電極部へ流す電流量を、通電時間を調整することにより行なうものであることを特徴とする可搬型電解水生成装置。
【請求項３】
請求項１記載の可搬型電解水生成装置において、
前記電解槽は、前記小さい槽が前記大きい槽の２分の１ないし５分１程度の容積に構成されているものであることを特徴とする可搬型電解水生成装置。
【請求項４】
請求項１記載の可搬型電解水生成装置において、
前記電解槽は、当該大小二つの槽を底部で連通する小さな連通孔が、第１の排水系統による排水量の３分１以下の流量が流れられる程度の口径に設定されていることを特徴とする可搬型電解水生成装置。
【請求項５】
請求項１記載の可搬型電解水生成装置において、
前記強酸性排水系統は、強酸性水槽内に強酸性水送水管を設け、当該強酸性水送水管には上部吸込口と下部吸込口とを設け、前記上部吸込口から強酸性水槽内の上部の水を、前記下部吸込口から強酸性水槽内の下部の水を、それぞれ所定の混合比で吸い込めるようにしたことを特徴とする可搬型電解水生成装置。
【発明の詳細な説明】
【０００１】
【発明の属する技術分野】
本発明は、容器内の水を電気分解して酸性またはアルカリ性の電解水を作成する電解水生成装置に関する。さらに詳細には、本発明は、容器内の水を電気分解して酸性またはアルカリ性の電解水をバッチ式で生成でき、かつ、容易に可搬できるようにした可搬型電解水生成装置に関する。
【０００２】
【従来の技術】
従来、この種の電解水生成装置は、水に少量の塩素系電解物質を混入し、当該水を電気分解することにより、酸性またはアルカリ性の電解水を生成できる装置として知られている。
このような電解水生成装置は、容器内を隔膜で仕切ることにより陽極槽と陰極槽とを形成し、陽極槽に陽極板を配置するとともに陰極槽に陰極板を配置し、陽極槽及び陰極槽に電解物質を少量溶かした水を供給し、前記陽極と陰極に直流を流し込むことにより、陽極槽から酸性の電解水を、また、陰極槽からアルカリ性の電解水を得ることができるようにした装置である（特開２０００−２４６２４９号公報）。
このような従来の電解水生成装置によれば、電解条件にもよるが、水素イオン濃度が２．０〜３．５の酸性電解水を、水素イオン濃度が１０．５〜１２．０のアルカリ性電解水を得ることができる。
【０００３】
【発明が解決しようとする課題】
しかしながら、上述した従来の電解水生成装置によれば、基本的に可搬型に構成されていないため、どこでも手軽に電解水を手に入れることができないという欠点があった。
また、上述した従来の電解水生成装置は、装置が大型化しており、部品点数が多く、かつ、高価であるという欠点があった。
さらに、上述した従来の電解水生成装置は、電解水を得るために、複雑な操作や制御が必要となるという欠点があった。
本発明は、上述した欠点に鑑みなされたものであり、容易に可搬でき、かつ、手頃に使用できる可搬型電解水生成装置を提供することを目的としている。
【０００４】
【課題を解決するための手段】
上記目的を達成するために、請求項１に記載の発明に係る可搬型電解水生成装置は、容器内の水を電気分解して酸性またはアルカリ性の電解水をバッチ式に生成する可搬可能な電解水生成装置であって、容器内部を隔膜が固定された隔膜固定板により仕切って大小二つの槽を形成し、前記各槽内に電極をそれぞれ配置してなり、前記二つの槽の底側で当該二つの槽を連通する小さな連通孔を設けてなる電解槽と、装着部に装着しあるいは前記装着部から取り出し可能な排水タンクと、前記電解槽の小さい槽に生成された電解水を前記排水タンクに排水可能な第１の排水系統と、前記電解槽の大きい槽に生成された電解水を外部に取水できる第２の排水系統と、直流電源からの電力を取り込み前記両電極へ流す電流量を調整でき、かつ、電解が終了したときに第１の排水系統を運転し前記小さな槽の電解水を前記排水タンクに排水させる制御をする制御部とを備えたことを特徴とするものである。
請求項２記載の発明では、請求項１記載の可搬型電解水生成装置において、前記制御部は、前記両電極部へ流す電流量を、通電時間を調整することにより調整できるものであることを特徴とするものである。
請求項３記載の発明では、請求項１記載の可搬型電解水生成装置において、前記電解槽は、前記小さい槽が前記大きい槽の２分の１ないし５分１程度の容積に構成されているものであることを特徴とするものである。
請求項４記載の発明では、請求項１記載の可搬型電解水生成装置において、前記電解槽は、当該大小二つの槽を底部で連通する小さな連通孔が、第１の排水系統による排水量の３分１以下の流量が流れられる程度の口径に設定されていることを特徴とするものである。
請求項５記載の発明では、請求項１記載の可搬型電解水生成装置において、前記強酸性排水系統は、強酸性水槽内に強酸性水送水管を設け、当該強酸性水送水管には上部吸込口と下部吸込口とを設け、前記上部吸込口から強酸性水槽内の上部の水を、前記下部吸込口から強酸性水槽内の下部の水を、それぞれ所定の混合比で吸い込めるようにしたことを特徴とするものである。
【０００５】
【発明の実施の形態】
以下、本発明の実施の形態について図面を参照して説明する。
図１ないし図１２は本発明の実施の形態に係る可搬型電解水生成装置を説明するための図である。ここに、図１は本発明の実施の形態に係る可搬型電解水生成装置の外観を示す斜視図である。図２は本発明の実施の形態に係る可搬型電解水生成装置の外観を示し、本体装着部から強アルカリ水排水タンクを外した状態を示す斜視図である。図３は本発明の実施の形態に係る可搬型電解水生成装置の外観を示す正面図である。図４は本発明の実施の形態に係る可搬型電解水生成装置の外観を示す側面図である。図５は本発明の実施の形態に係る可搬型電解水生成装置の外観を示す平面図である。
【０００６】
これらの図において、本発明の実施の形態に係る可搬型電解水生成装置１は、容器内の水を電気分解して酸性またはアルカリ性の電解水をバッチ式に生成し、かつ可搬できる構成となっている。この可搬型電解水生成装置１は、電解水生成装置本体２の外観が角柱状の形状をしており、かつ、電解水生成装置本体２の図示正面右側に所定の容積の凹所を形成することにより装着部３が形成されている。この装着部３には、（強アルカリ水）排水タンク４が着脱可能となっている。
【０００７】
また、電解水生成装置本体２の上部には、上部蓋５が開閉可能に設けられている。電解水生成装置本体２の上部正面前側には、操作・表示部６が設けられている。電解水生成装置本体２の操作・表示部６のさらに正面側には、採水口７が設けられている。この電解水生成装置本体３の装着部３の図示後方部には電気系統収納部８が設けられており、この電気系統収納部８に電解水の生成を制御する制御部が内蔵されている。また、電解水生成装置本体３の上側には、電解水生成装置本体３を運ぶときに使用される取手９が回動可能に設けられている。
【０００８】
図６は、本発明の実施の形態に係る可搬型電解水生成装置の構成を説明するための図である。この図６において、可搬型電解水生成装置１は、大別すると、電解槽１０と、（強アルカリ水）排水タンク４と、第１の排水系統（強アルカリ排水系統）２０と、第１の排水系統（強酸性排水系統）３０と、制御部４０とを備え、次のように構成されている。
【０００９】
まず、電解槽１０は、容器１１の内部を隔膜１２が固定された隔膜固定板１３により仕切って大小二つの槽（大きい容積の強酸性水槽１４，小さい容積の強アルカリ水槽１５）を形成し、前記大小二つの槽（大きい容積の強酸性水槽１４，小さい容積の強アルカリ水槽１５）にプラス電極１６，マイナス電極１７をそれぞれ配置してなり、前記二つの槽（強酸性水槽１４，強アルカリ水槽１５）の底側において当該二つの槽（強酸性水槽１４，強アルカリ水槽１５）を連通する小さな連通孔１８を設けてなる。なお、強アルカリ水槽１５の上部にはオーバーフロー１９が設けられており、このオーバーフロー１９の水位以上の水はオーバーフロー１９より強アルカリ水排水タンク４に排水される。
【００１０】
ここで、前記小さい槽（強アルカリ水槽１５）は前記大きい槽（強酸性水槽１４）の２分の１ないし５分１程度の容積になるように構成されている。
また、前記電解槽１０において、前記強酸性水槽１４と前記強アルカリ水槽１５とを連通する小さな連通孔１８は、第１の排水系統（強アルカリ排水系統）２０による排水量の３分１以下の流量が流れられる程度の口径に設定されている。また、（強アルカリ水）排水タンク４は、前記装着部３に装着しあるいは前記装着部３から取り出し可能になっている。
【００１１】
前記第１の排水系統（強アルカリ排水系統）２０は、前記電解槽１０の小さい槽（強アルカリ水槽１５）に生成された強アルカリ水を、装着部３に装着された前記（強アルカリ水）排水タンク４に排水できる装置であり、強アルカリ水排水ポンプ２１と、配管２２とからなる。
前記強アルカリ水排水ポンプ２１の吸込部は、強アルカリ水槽１５の底部に連通している。また、強アルカリ水排水ポンプ２１吐出部は、配管２２を介して強アルカリ水排水タンク４の上部に連通されている。
【００１２】
前記第１の排水系統（強酸性排水系統）３０は、前記電解槽１０の大きい槽（強酸性水槽１４）に生成された強酸性水を採水口７から外部に採水させることができる装置であり、強酸性水送水ポンプ３１と、強酸性水送水管３２と、吐出配管３３とからなる。
【００１３】
この強酸性水送水管３２は、強酸性水槽１４内に設けられており、当該強酸性水送水管３２には上部吸込口３２ｕと下部吸込口３２ｄとを設け、前記上部吸込口３２ｕから強酸性水槽１４内の上部の水を、前記下部吸込口３２ｄから強酸性水槽１４内の下部の水を、それぞれ所定の混合比で吸い込めるように構成されている。この吸込配管３２の他端は強酸性水送水ポンプ３１の吸込部に接続されている。吐出配管３３の一端は強酸性水送水ポンプ３１の吐出部に接続されており、かつ、吐出配管３３の他端は採水口７に接続されており、強酸性水を採水口７から外部に排出できるようにされている。
【００１４】
制御部４０は、詳細は後述するが、電解水生成用電圧出力端子をプラス電極１６及びマイナス電極１７に電気的に接続されており、直流電源からの電力を取り込み前記両電極（プラス電極１６，マイナス電極１７）へ流す電流量を、通電時間を調整することにより調整できる装置である。当該制御部４０は、操作・表示部６による設定操作に基づいて前記両電極（プラス電極１６，マイナス電極１７）への通電時間等を調整でき、かつ、操作結果等必要な表示信号を操作・表示部６に与えて表示させることができる。また、制御部４０は、各種センサー５０からの検出信号を取込み、各種センサー５０からの検出信号に応じた処理をするようになっている（詳細は後述する）。
【００１５】
ここで、各種センサー５０は、原水電気伝導度センサー５１と、電解水の有無センサー５２と、排水有無スイッチ５３と、強アルカリ水排水タンク有無スイッチ５４と、上蓋有無スイッチ５５とからなる。
原水電気伝導度センサー５１は強酸性水槽１４の底部に設けられており、強酸性水槽１４の内部の水の電気伝導度を検出し、その検出信号を制御部４０に与えるようになっている。
【００１６】
電解水の有無センサー５２は、強酸性水槽１４の上部に設けられており、強酸性水槽１４の内部の水の有無を検出し、その検出信号を制御部４０に与えられるようになっている。
排水有無スイッチ５３は、強アルカリ水排水タンク４の内部の排水の有無を検出し、その検出信号を制御部４０に与えるようになっている。
強アルカリ水排水タンク有無スイッチ５４は、強アルカリ水排水タンク４が装着部３に装着されているか否かを検出し、その検出結果を制御部４０に与えるようになっている。
【００１７】
上蓋有無スイッチ５５は、上部蓋５が開いているか否かを検出し、その検出結果を制御部４０に与えるようになっている。
制御部４０は、強アルカリ水排水ポンプ２１のモータと、強酸性水送水ポンプ３１のモータとに、それぞれ電気的に接続されており、操作・表示部６からの操作指令に応じて強アルカリ水排水ポンプ２１あるいは強酸性水送水ポンプ３１を駆動できるようになっている。
【００１８】
図７は本発明の実施の形態に係る可搬型電解水生成装置の制御部を含む電気系統を示すブロック図である。
この図５において、制御部４０は、ＤＣ５Ｖ回路部（処理部）４１と、センサ回路部４２と、ＤＣ１２Ｖ回路部４３とからなる。制御部４１は、第１の電源４５から直流（ＤＣ）５Ｖの供給を受けて動作する。ＤＣ１２Ｖ回路部４３は、第２の電源４６から直流（ＤＣ）１２Ｖの供給を受けて動作する。第１の電源４５及び第２の電源４６は、商用電源からの交流電力を各電圧の直流電力に変換する。
【００１９】
センサ回路部４２は、ＤＣ１２Ｖ回路部４３を介して直流電力の供給を受けて動作する。センサ回路部４２は、原水電気伝導度センサー５１及び電解水の有無センサー５２からの検出信号を取込み、所定の信号レベルの検出信号に変換し、当該検出信号を制御部４１に与える。
【００２０】
制御部４１は、排水有無スイッチ５３、強アルカリ水排水タンク有無スイッチ５４、及び上蓋有無スイッチ５５からの検出信号を取り込めるようになっている。また、制御部４１は、操作・表示部６からの操作信号を取り込むとともに、必要な表示信号を操作・表示部６に与えるようになっている。また、制御部４１は、ＤＣ１２Ｖ回路部４３を制御することにより、プラス電極１６及びマイナス電極１７に供給する電力量の調整制御をし、あるいは、強アルカリ排水系統２０の強アルカリ水排水ポンプ２１の運転・停止制御をし、あるいは、強酸性排水系統３０の強酸性水送水ポンプ３１の運転・停止制御をする。
【００２１】
操作・表示部６は、操作用として、選択ボタン６１、運転ボタン６２、採水ボタン６３とがあり、また、表示用として、標準ランプ６５、強ランプ６６、弱ランプ６７、生成ランプ６８及び７セグメントのＬＥＤディスプレイ６９がある。選択ボタン６１は、電解の強さを標準（標準ランプ６５のみ点灯）、強（強ランプ６６のみ点灯）、弱（弱ランプ６７のみ点灯）のいずれかを選択させるスイッチである。運転ボタン６２は、電解を開始させるスイッチであり、当該ボタンが押されると制御部４１はプログラムタイマーを動作させて、選択ボタン６１で選択された強（例えば１０分間）、標準（例えば８分間）、あるいは、弱（例えば５分間）の時間の間、ＤＣ１２Ｖ回路部４３からプラス電極１６及びマイナス電極１７に直流電力を印加させる。
【００２２】
採水ボタン６３は、強酸性水槽１４から採水口７を介して強酸性水を採水させるためのスイッチであり、当該排水ボタン６４が押されると制御部４１は、ＤＣ１２Ｖ回路部４３を制御し、強酸性水送水ポンプ３１を運転制御する。
また、生成ランプ６８は電解水が生成されたことを知らせるランプである。
ＬＥＤディスプレイ６９は、電子音とエラーセグメント表示で警告を知らせる警告手段であり、制御部４１からの表示信号によりそれぞれ表示される。
【００２３】
制御部４１は、上蓋有無スイッチ５５により上部蓋５が開いていることを検出したときには、ＬＥＤディスプレイ６９にエラーセグメントＥ１を表示するとともに電子音を発し、上部蓋５を開いていることを警告する。
制御部４１は、強アルカリ水排水タンク４が装着部３に装着されていないことを、強アルカリ水排水タンク有無スイッチ５４により検出したときには、ＬＥＤディスプレイ６９にエラーセグメントＥ２を表示するとともに電子音を発し、強アルカリ水排水タンク４が装着部３にセットされていないことを警告する。
【００２４】
制御部４１は、強アルカリ水排水タンク４に残水があることを、排水有無スイッチ５３により検出したときには、ＬＥＤディスプレイ６９にエラーセグメントＥ３を表示するとともに電子音を発し、強アルカリ水排水タンク４に残水があることを警告する。
制御部４１は、電解槽１０の内部の電解質（水）が適正な量でないことを、電解水の有無センサー５２により検出したときには、ＬＥＤディスプレイ６９にエラーセグメントＥ４を表示するとともに電子音を発し、電解質（水）が適正な量でないことをを警告する。
【００２５】
制御部４１は、電解槽１０の内部の電解質（水）が適正な電気伝導度でないことを、原水電気伝導度センサー５１により検出したときには、ＬＥＤディスプレイ６９にエラーセグメントＥ５を表示するとともに電子音を発し、電解質（水）が適正な電気伝導度でないことをを警告する。
制御部４１は、プラス電極１６とマイナス電極１７に電解電流が流れていなことを検出したときには、ＬＥＤディスプレイ６９にエラーセグメントＥ６を点灯するとともに電子音を発し、電解電流が流れていないことを警告する。
【００２６】
上述した可搬型電解水生成装置の使用の仕方などを、図１ないし図７を基に図８ないし図１２を参照して説明する。
図８は本発明の実施の形態に係る可搬型電解水生成装置に水を入れる状態を説明するための図である。図９は本発明の実施の形態に係る可搬型電解水生成装置により電解している状態を説明するための図である。図１０は本発明の実施の形態に係る可搬型電解水生成装置における強アルカリ水槽から強アルカリ水排水タンクに強アルカリ水を排水している状態を説明するための図である。
【００２７】
図１１は本発明の実施の形態に係る可搬型電解水生成装置における強アルカリ水排水タンクへの強アルカリ水の排水を停止した状態を説明するための図である。図１２は本発明の実施の形態に係る可搬型電解水生成装置における強酸性水槽から強酸性水を排水している状態を説明するための図である。
まず、食塩を微量添加して電気伝導度が例えば１５００［μＳ／cm］に調整された水を用意する。
【００２８】
次に、電解水生成装置本体２の上部蓋５を開けて、図８の矢印ａに示すように、当該水を強酸性水槽１４に入れる。すると、この水は、強酸性水槽１４の底側に設けられた連通孔１８を通り、図８の矢印ｂに示すように、強アルカリ水槽１５側にも入ってゆく。
次に、所望とする電解水を得るため、選択ボタン６１を操作して強（１０分間）、標準（８分間）、弱（５分間）を選択する。当該選択ボタン６１の操作が終了したところで、運転ボタン６２を押す。
【００２９】
すると、制御部４１は、ＤＣ１２Ｖ回路部４３を制御し、当該選択ボタン６１で選択された時間だけプラス電極１６とマイナス電極１７に直流を供給する。これにより、プラス電極１６とマイナス電極１７の周辺では水を電気分解することになる。なお、制御部４１は、原水電気伝導度センサー５１からの検出信号を取り込んだいて、選択ボタン６１により選択された電気伝導度に達したか否かを検出している。
【００３０】
制御部４１は、当該選択ボタン６１で選択された時間を終了すると、ＬＥＤディスプレイ６９の表示を停止し、生成ランプ６８を点灯させる。
電解終了後、強酸性水槽１４に強酸性水を、強アルカリ水槽１５に強アルカリ水を入れっぱなしにしておくと、時間の経過とともに中和してしまう。これを防止するために、制御部４１は、選択ボタン６１で選択された時間が経過すると、強アルカリ水排水ポンプ２１を自動運転して強アルカリ排水系統２０により、図１０の矢印ｃに示すように、強アルカリ水槽１５内の強アルカリ水を強アルカリ水排水タンク４に移し替える。
【００３１】
このとき、強酸性水槽１４内の強酸性水が連通孔１８を通って、図１０の矢印ｄに示すように流入するが、連通孔１８を通る水量より、強アルカリ水排水ポンプ２１の排水能力が高いため、その量を僅かである。
そして、制御部４１は、強アルカリ水排水タンク４へ排水が終了したことを、例えばタイマーあるいは排水有無スイッチ５３からの検出信号により検出すると、ＤＣ１２Ｖ回路部４３を制御し、強アルカリ排水系統２０の強アルカリ水排水ポンプ２１の運転を停止する。
【００３２】
すると、強酸性水槽１４内にあった強酸性水は、連通孔１８を通って図１１の矢印ｅに示すように、強アルカリ水槽１５内に入る。これにより、電解槽１０（強酸性水槽１４及び強アルカリ水槽１５）内は、全て強酸性水になる。この強酸性水により、強アルカリ水槽１５内に付着するスケールを除去することができる。また、電解槽１０内の強酸性水の水位は、プラス電極１６とマイナス電極１７が強酸性水に浸かる水位となる。
【００３３】
そして、強酸性水を採水する場合には、採水口７に容器をおき、採水ボタン６３を押し続けることにより、制御部４１がＤＣ１２Ｖ回路部４３を制御し、強酸性水送水ポンプ３１に電力を供給して強酸性水送水ポンプ３１を運転し続けることにより、強酸性排水系統３０を介して採水口７から強酸性水を採水できる。
【００３４】
なお、強酸性水槽１４内の強酸性水は、上部のペーハー（ＰＨ）が低く、下部のペーハー（ＰＨ）が高いので、強酸性水送水管３２の上部吸込口から図１２の矢印ｆに示すように上部の強酸性水を所定量吸い込みつつ、強酸性水送水管３２の下部吸込口から図１２の矢印ｇに示すように下部の強酸性水を所定量吸込み、これら吸込量の調整で所定の混合比にして吐出配管３３を介して図１２の矢印ｈに示すように排水する。このとき、強アルカリ水槽１５内にある強酸性水も、図１２の矢印ｉに示すように連通孔１８を通って強酸性水槽１４に流れ込むことになる。
【００３５】
このような実施の形態によれば、強酸性水槽１４の内部に電解酸性水が生成されるので、次のような利点がある。
（１）殺菌効果のある強酸性水、蛋白分解を有する強アルカリ水、健康飲料アルカリイオン水を生成できる。
（２）強アルカリ水槽１５の水量を少なくした構造であるので、捨て水が少ない。
（３）電解槽１０が貯留用容器としての役割を同時に果たしており、かつ、強アルカリ水槽１５の容量を少なくしているので、装置全体が小型化、軽量化され、制作費を易く抑えることができる。
（４）採水口７のホースを細口ボトルに楽に入る経にしてあるので、細口ボトルへの採取が簡単にできるほか、採水操作も単にボタンを押すだけでよく簡単である。
（５）取手９を設けたので、持ち運びが簡単であり、どこでも運転可能で特別な工事を必要としない。
【００３６】
（６）一般的な給排水施設の工事が不要で、商用電源のみあればどこでも運転ができる。
（７）装置の調整が不要であり、運転、電解時間セットも採水も各ボタンを押すだけで簡単に操作できる。
（８）表示確認ができる。
（９）電解後、強アルカリ水槽１５の水を排水するため、電解水のペーハーが安定して保たれる。
（１０）電解終了後、強酸性水槽１４の強酸性水が強アルカリ水槽１５に流入し強アルカリ水槽１５内のスケールを除去するため、強アルカリ水槽１５内にスケールが蓄積するのを防止する。
（１１）各種センサー５０により運転に不都合な状態を検出し、ＬＥＤディスプレイ６９によりセグメント表示し、かつ、電子音で警告できるので、安全に使用できる。
【００３７】
なお、上記実施例においては、プラス電極１６にプラス電位を、マイナス電極１７にマイナス電位を印加する構成で説明したが、これに限定することなく、プラス電極１６にマイナス電位を、マイナス電極１７にプラス電位を印加することにより、大きい槽（強酸性水槽１４）の内部に強アルカリ水を多く採取するようにできる。
また、食塩の添加を少なくし、かつ、上述したように極性を逆にしてプラス電極１６とマイナス電極１７に印加することにより、弱アルカリ水（飲料用）を採取することができる。
【００３８】
【発明の効果】
以上説明したように、本発明に係る可搬型電解水生成装置によれば、容器内部を隔膜が固定された隔膜固定板により仕切って大小二つの槽を形成し、前記各槽内に電極をそれぞれ配置してなり、前記二つの槽の底側で当該二つの槽を連通する小さな連通孔を設けてなる電解槽と、装着部に装着しあるいは前記装着部から取り出し可能な排水タンクと、前記電解槽の小さい槽に生成された電解水を前記排水タンクに排水可能な第１の排水系統と、前記電解槽の大きい槽に生成された電解水を外部に取水できる第２の排水系統と、直流電源からの電力を取り込み前記両電極へ流す電流量を調整でき、かつ、電解が終了したときに第１の排水系統を運転し前記小さな槽の電解水を前記排水タンクに排水させる制御をする制御部とを備えたので、次のような効果がある。
【００３９】
（１）殺菌効果のある強酸性水、蛋白分解を有する強アルカリ水、健康飲料アルカリイオン水を生成できる。
（２）大きい槽より小さい槽の水量を少なくした構造であるので、捨て水が少なくて済む。
（３）電解槽が貯留用容器としての役割を同時に果たしており、かつ、小さい槽の容量を少なくしているので、装置全体が小型化、軽量化され、制作費を易く抑えることができる。
（４）取手を設けたので、持ち運びが簡単であり、どこでも運転可能で特別な工事を必要としない。
（５）一般的な給排水施設の工事が不要で、商用電源のみあればどこでも運転ができる。
（６）電解後、小さい槽の水を排水するため、電解槽に残る電解水のペーハーが安定して保たれる。
（１０）電解終了後、強酸性水槽の強酸性水が強アルカリ水槽に流入し強アルカリ水槽内のスケールを除去するため、強アルカリ水槽内にスケールが蓄積するのを防止する。
【図面の簡単な説明】
【図１】本発明の実施の形態に係る可搬型電解水生成装置の外観を示す斜視図である。
【図２】本発明の実施の形態に係る可搬型電解水生成装置の外観を示し、本体装着部から強アルカリ水排水タンクを外した状態を示す斜視図である。
【図３】本発明の実施の形態に係る可搬型電解水生成装置の外観を示す正面図である。
【図４】本発明の実施の形態に係る可搬型電解水生成装置の外観を示す側面図である。
【図５】本発明の実施の形態に係る可搬型電解水生成装置の外観を示す平面図である。
【図６】本発明の実施の形態に係る可搬型電解水生成装置の構成を説明するための図である。
【図７】本発明の実施の形態に係る可搬型電解水生成装置の制御部を含む電気系統を示すブロック図である。
【図８】本発明の実施の形態に係る可搬型電解水生成装置に水を入れる状態を説明するための図である。
【図９】本発明の実施の形態に係る可搬型電解水生成装置により電解している状態を説明するための図である。
【図１０】本発明の実施の形態に係る可搬型電解水生成装置における強アルカリ水槽から強アルカリ水排水タンクに強アルカリ水を排水している状態を説明するための図である。
【図１１】本発明の実施の形態に係る可搬型電解水生成装置における強アルカリ水排水タンクへの強アルカリ水の排水を停止した状態を説明するための図である。
【図１２】本発明の実施の形態に係る可搬型電解水生成装置における強酸性水槽から強酸性水を排水している状態を説明するための図である。
【符号の説明】
１  可搬型電解水生成装置
２  電解水生成装置本体
３  装着部
４  強アルカリ水排水タンク（排水タンク）
５  上部蓋
６  操作・表示部
７  採水口
８  電気系統収納部
９  取手
１０  電解槽
１１  容器
１２  隔膜
１３  隔膜固定板
１４  強酸性水槽（大きい槽）
１５  強アルカリ水槽（小さい槽）
１６  プラス電極
１７  マイナス電極
１８  連通孔
１９  オーバーフロー
２０  強アルカリ排水系統（第１の排水系統）
２１  強アルカリ水排水ポンプ
２２  配管
３０  強酸性排水系統（第２の排水系統）
３１  強酸性水送水ポンプ
３２  強酸性水送水管
３２ｕ  上部吸込口
３２ｄ  下部吸込口
３３    吐出配管
４０  制御部
４１  制御部（ＤＣ５Ｖ回路部）
４２  センサ回路部
４３  ＤＣ１２Ｖ回路部
【図１】
0003942412.tif 000002
【図２】
0003942412.tif 000003
【図３】
0003942412.tif 000004
【図４】
0003942412.tif 000005
【図５】
0003942412.tif 000006
【図６】
0003942412.tif 000007
【図７】
0003942412.tif 000008
【図８】
0003942412.tif 000009
【図９】
0003942412.tif 000010
【図１０】
0003942412.tif 000011
【図１１】
0003942412.tif 000012
【図１２】
0003942412.tif 000013